(57)【要約】【課題】  仕事や学習時に机で短時間の仮眠をとる際に、息苦しさを感じさせず、且つ、楽な姿勢で仮眠をとることができるようにした机上枕を得る。【解決手段】  顔面の目、鼻、口の外側を受ける座面３を上面側に有する馬蹄形に形成された座部４の底面に、高さ調節可能な複数本の脚部５を設けた台座１と、前記座部４の座面３に、座面３に沿って載置される枕部２とからなり、机で短時間の仮眠をとる際に、机上に置き、台座１の座部４の座面３に載置された枕部２に顔面を当てることができるようにした。【選択図】図１
0003120926.tif 000002
【実用新案登録請求の範囲】
【請求項１】
顔面の目、鼻、口の外側を受ける座面を上面側に有する馬蹄形に形成された座部の底面に、高さ調節可能な複数本の脚部を設けた台座と、前記座部の座面に、座面に沿って載置される枕部とからなることを特徴とする机上枕。
【請求項２】
前記枕部は、冷熱不凍ゲル枕であることを特徴とする請求項１に記載の机上枕。
【考案の詳細な説明】
【技術分野】
【０００１】
本考案は、仕事や学習時に机で短時間の仮眠をとるのに便利な机上枕に関するものである。
【背景技術】
【０００２】
机に向かった仕事や学習時に、疲れを癒すため机で短時間の仮眠をとるといったことをよく経験する。机での仮眠は、机上に上半身を俯せにした姿勢となり、机上で顔を受けるので、顔への当たりを柔らかくするため机と顔の間に介在させる机上枕が必要となる。この机上枕としての専用の枕など無く、従来は、身近にある寝具の枕やクッション等を机上枕として使用したり、また腕枕で顔を受けている。
【考案の開示】
【考案が解決しようとする課題】
【０００３】
上記のように、机で短時間の仮眠をとる際に、机と顔の間に介在させる机上枕として寝具の枕やクッション等を机上枕として使用すると、顔面が寝具の枕やクッション等に埋まってしまい、息苦しい思いをする。これを避けるため顔を横に向けると首や肩に不自然な力が加わり、首や肩がこってしまうことがある。また、手枕の場合は、頭の重みで腕に痛みや痺れが起きることがある。また、机上に上半身を俯せにした姿勢で、首や背中が不自然な角度となることにより、首や肩や背中等がこってしまうことがある。
【０００４】
本考案の目的は、仕事や学習時に机で短時間の仮眠をとる際に、息苦しさを感じさせず、且つ、楽な姿勢で仮眠をとることができるようにした机上枕を提供するところにある。
【課題を解決するための手段】
【０００５】
上記の目的を達成するために、請求項１に記載の机上枕は、顔面の目、鼻、口の外側を受ける座面を上面側に有する馬蹄形に形成された座部の底面に、高さ調節可能な複数本の脚部を設けた台座と、前記座部の座面に、座面に沿って載置される枕部とからなることを特徴とする。
【０００６】
請求項２に記載の机上枕は、前記請求項１に記載の、前記枕部が、冷熱不凍ゲル枕であることを特徴とする。
【考案の効果】
【０００７】
請求項１に記載の机上枕によれば、顔面の目、鼻、口の外側を受ける座面を上面側に有する馬蹄形に形成された座部の底面に、高さ調節可能な複数本の脚部を設けた台座と、前記座部の座面に、座面に沿って載置される枕部とからなるので、机で短時間の仮眠をとる際に、机上枕を机上に置き、馬蹄形に形成された座部の中央開口部位に顔面の目、鼻、口を位置させ、且つ、座部の外周切り欠き部位に顔面の顎を位置させるようにして台座の座部の座面に載置された枕部に顔面を当てると、顔面は枕部により目、鼻、口の外側が支えられるので、目への圧迫がなく、また呼吸も妨げられず、そして、座部の底面に設けられている脚部により、顔面と机との間にできた空間を空気がながれるので、息が籠もらず、楽に呼吸ができる。また、座部の周囲切り欠き部位に顔面の顎を位置させるので、顎や喉が圧迫されず、顔をまっすぐ下に向いた状態に維持することができ、肩や首に負担がかからず、肩や首のこりを防ぐことができる。
【０００８】
また、座部の底面に設けた各脚部の高さを調節することにより、机上面からの座部の高さや傾斜角度を調節することができるので、首や背中が自然な姿勢で顔面を座部の座面に載置された枕部に当接させることができ、首や肩や背中に不自然な負担が加わらず、首や肩や背中等のこりを防ぐことができる。
【０００９】
請求項２に記載の机上枕は、前記請求項１に記載の、前記枕部が、冷熱不凍ゲル枕であるので、顔面を座部の座面に載置された枕部に当接させると、枕部は顔面の形に応じて変形して顔面にフィットし、顔面を安定した状態で支えることができる。また、冷熱不凍ゲル枕を冷やして使用することにより、特に夏場での仮眠を快適にとることができる。
【考案を実施するための最良の形態】
【００１０】
図１乃至図４は本考案に係る机上枕を実施するための最良の形態の一例を示したもので、図１は本例の分解斜視図、図２は本例の机上枕の高さ調節を説明する側面図、図３は本例の使用状態を示す説明図、図４は図３のＡ−Ａ線断面説明図である。
【００１１】
本例の机上枕は、台座１と枕部２とにより構成されている。前記台座１は、顔面の目、鼻、口の外側を受ける座面３を上面側に有する馬蹄形に形成された座部４と、座部４の底面に設けた高さ調節可能な複数本の脚部５とにより構成されている。前記座部４の上面側に有する座面３は前記馬蹄形に形成された座部４の形状に沿って設けられており、そして、前記枕部２を安定よく所定の位置に位置決めして載置できるように、緩い凹溝状に形成されている。
【００１２】
また、前記座部４の底面に設けた高さ調節可能な脚部５は、本例では、ボルト部６と、ボルト部６に螺合し、回転によりボルト部６上を軸方向に移動する移動部７とで構成されており、前記移動部７を回転させ、ボルト部６上を軸方向に移動させることにより、脚部５を伸縮させて各脚部５の高さを調節することができ、机上からの座部４の高さや傾斜角度の調節が行えるようになっている。前記脚部５は、本例では前記のように、ボルト部６と移動部７とで構成されているが、これに限定されるものではなく、また、本例では、座部４の底面に４本の脚部５が設けられているが、この本数に限定されない。
【００１３】
また、前記座部４の上面側に有する座面３に載置される前記枕部２は、馬蹄形に形成された座部４の形状に沿って設けられた座面３の長さを有し、座面３に沿って載置されている。前記枕部２にあっては、本例では、筒状袋に不凍ゲルを充填した冷熱不凍ゲル枕を使用しているが、これに限定されない。
【００１４】
前記枕部２は前記台座１と別体に構成されており、枕部２は前記のように、前記台座１の座部４の座面３に載置される。前記座面３に載置された枕部２は、本例では座面３に固着されていないが、必要に応じて、適宜の固着手段により座面３に着脱可能に固着されるようになっていてもよい。
【００１５】
上記のように構成された机上枕の使用にあっては、先ず、机上枕を机上に置き、前記移動部７を回転させ、ボルト部６上を軸方向に移動させることにより、脚部５を伸縮させて、各脚部５の高さを調節し、座部４の座面３に載置される枕部２に顔面を当てたとき、首や背中が自然な姿勢となるように、座部４の高さや傾斜を調節する（図２）。
【００１６】
このようにして、机上に載せた机上枕の座部４の座面３に載置される枕部２に、前記馬蹄形に形成された座部４の中央開口部位８に顔面の目、鼻、口を位置させ、且つ、座部４の周囲切り欠き部位９に顔面の顎を位置させるようにして顔面を当てる（図３，図４）。
【００１７】
このようにすることにより、首や背中が自然な姿勢で顔面を座部４の座面３に載置された枕部２に当接させることができるので、首や肩や背中に不自然な負担が加わらず、首や肩や背中等のこりを防ぐことができる。また、顔面は枕部２により目、鼻、口の外側が支えられ、目、鼻、口の部位は座部４の中央開口部位８に露出するので、目への圧迫がなく、また呼吸も妨げられず、そして、座部４の底面に設けられている脚部５により、顔面と机との間にできた空間を空気がながれるので、息が籠もらず、楽に呼吸ができる。更に、座部４の周囲切り欠き部位９に顔面の顎を位置させるので、顎や喉が圧迫されず、顔をまっすぐ下に向いた状態に維持することができ、肩や首に負担がかからず、肩や首のこりを防ぐことができる。
【００１８】
また、本例では、前記枕部２が、冷熱不凍ゲル枕であるので、顔面を座部４の座面３に載置された枕部２に当接させると、枕部２は顔面の形に応じて変形して顔面にフィットし、顔面を安定した状態で支えることができる。また、冷熱不凍ゲル枕を冷やして使用することにより、特に夏場での仮眠を快適にとることができる。
【図面の簡単な説明】
【００１９】
【図１】本考案に係る机上枕を実施するための最良の形態の一例を示す分解斜視図。
【図２】本例の机上枕の高さ調節を説明する側面図。
【図３】本例の使用状態を示す説明図。
【図４】図３のＡ−Ａ線断面説明図。
【符号の説明】
【００２０】
１  台座
２  枕部
３  座面
４  座部
５  脚部
６  ボルト部
７  移動部
８  中央開口部位
９  周囲切り欠き部位
【図１】
0003120926.tif 000003
【図２】
0003120926.tif 000004
【図３】
0003120926.tif 000005
【図４】
0003120926.tif 000006